(57)【特許請求の範囲】
【請求項１】
外装体に略Ｕ字形状をなすハンドルを垂直方向上向きに延びた状態を含む範囲で縦方向に回動可能に取り付けるハンドル取付構造において、
前記外装体および前記ハンドルの端部のうち、一方に軸部を設けるとともに他方に受部を設け、
前記軸部に、略三角形状をなすように径方向外向きに突出されるとともに突出端である頂部が所定曲率で湾曲され、前記軸部を含めた断面形状が略雫形状をなす角無しの非真円形状であり、前記ハンドルを垂直方向上向きに回動させた状態で前記頂部が垂直方向上向きに位置する位置決め突部を設けるとともに、
前記受部に、前記軸部の位置決め突部の頂部から径方向の対向位置までの幅より大きい回動溝部と、この回動溝部に連続し前記ハンドルを略垂直方向上向きに回動させた状態で前記位置決め突部に対して径方向外側に嵌合する嵌合溝部とを設けた
ことを特徴とするハンドル取付構造。
【請求項２】
前記回動溝部の前記嵌合溝部と反対側に、前記軸部を前記嵌合溝部に向けて付勢する付勢部材を配設したことを特徴とする請求項１に記載のハンドル取付構造。
【請求項３】
前記ハンドルに軸部を設けるとともに、前記外装体に受部を設け、
前記回動溝部と前記嵌合溝部とを、前記受部に配設する別体の受部本体に設けたことを特徴とする請求項１または請求項２に記載のハンドル取付構造。
【請求項４】
前記外装体は、前記軸部の位置決め突部の頂部から径方向の対向位置までの幅より大きい遊嵌軸孔を有する受部本体配設部を備え、
前記軸部に、前記位置決め突部から軸方向に所定間隔をもって位置し径方向外向きに突出する抜止突片を設けるとともに、前記受部本体配設部の遊嵌軸孔に、前記抜止突片を挿通する挿通溝部を設けたことを特徴とする請求項３に記載のハンドル取付構造。
【請求項５】
前記軸部の抜止突片と前記受部本体配設部の挿通溝部とは、取付状態における前記ハンドルの回動範囲を越えた位置で挿通可能であることを特徴とする請求項４に記載のハンドル取付構造。
【請求項６】
前記外装体は、前記ハンドルを上部に配設する胴体と、この胴体の上部に位置する補強部材とを備え、この補強部材に、前記遊嵌軸孔および挿通溝部を有する受部本体配設部を設けたことを特徴とする請求項４または請求項５に記載のハンドル取付構造。
【発明の詳細な説明】
【技術分野】
【０００１】
本発明は、炊飯器や電気ポットなどの家庭用電気製品のハンドル取付構造に関するものである。
【背景技術】
【０００２】
多くの家庭用電気製品は、持ち運ぶ際の利便性を考慮してハンドルが取り付けられている。このハンドルは、非使用時には電気製品の操作（スイッチ操作や蓋体開閉操作）に支障がないように、背面側へ回動される。また、使用時には、略垂直方向上向きに延びた状態に回動され、電気製品を吊り下げて持ち運ぶことができるようになっている。そして、ハンドルは、使用時に電気製品が傾かないように重心バランスを考慮した位置に取り付けられている。
【０００３】
しかし、電気製品は、その収容部に水などが収容されている場合と、収容されていない場合とでは、重心の位置が変わってしまう。そのため、このことを考慮した位置を検証する必要がある。また、重心の位置自体が低い製品の場合、重心バランスを考慮しても、製品を水平に保つことは非常に困難である。しかも、電気製品の内部に水が収容されている場合には、持ち運ぶ際の振動で水面が揺れるため、重心が変動して電気製品が傾くことがある。
【０００４】
特許文献１には、ハンドルに位置決め突部を設けるとともに、外装体に位置決め突部が嵌合する嵌合部を設けた炊飯器が記載されている。位置決め突部は、ハンドルの軸部から所定間隔をもって位置するように、電気製品の外装体に向けて突設されている。嵌合部は、ハンドルの軸部を受ける受部の略垂直方向上方に位置するように凹設されている。これにより、ハンドルを持って電気製品を持ち運ぶ際に、位置決め突部を嵌合部に嵌合させ、ハンドルが略垂直方向上向きに延びた状態を保持可能としている。
【０００５】
しかしながら、この特許文献１のハンドル取付構造は、位置決め突部の突出量と嵌合部の深さが、ハンドルを略垂直方向に延びた状態を保持する保持力に大きく影響する。即ち、位置決め突部の突出量と嵌合部の深さを大きくすれば、嵌合した状態を保持する保持力が大きくなるため、前記問題を解消することは可能である。しかし、非使用時にハンドルを略水平方向に位置するように回動させる際のハンドル操作性が悪くなる。一方、位置決め突部の突出量と嵌合部の深さが小さい場合には、ハンドル操作性は良いが、前記問題を解消することは困難である。
【先行技術文献】
【特許文献】
【０００６】
【特許文献１】特開２００１−８７１２４号公報
【発明の概要】
【発明が解決しようとする課題】
【０００７】
本発明は、持ち運ぶ際に外装体が傾くことを確実に防止できるハンドル取付構造を提供することを第１の課題とするものである。また、使用時の回動操作性が良好なハンドル取付構造を提供することを第２の課題とするものである。
【課題を解決するための手段】
【０００８】
前記課題を解決するため、本発明のハンドル取付構造は、外装体に略Ｕ字形状をなすハンドルを垂直方向上向きに延びた状態を含む範囲で縦方向に回動可能に取り付けるハンドル取付構造において、前記外装体および前記ハンドルの端部のうち、一方に軸部を設けるとともに他方に受部を設け、前記軸部に、略三角形状をなすように径方向外向きに突出されるとともに突出端である頂部が所定曲率で湾曲され、前記軸部を含めた断面形状が略雫形状をなす角無しの非真円形状であり、前記ハンドルを垂直方向上向きに回動させた状態で前記頂部が垂直方向上向きに位置する位置決め突部を設けるとともに、前記受部に、前記軸部の位置決め突部の頂部から径方向の対向位置までの幅より大きい回動溝部と、この回動溝部に連続し前記ハンドルを略垂直方向上向きに回動させた状態で前記位置決め突部に対して径方向外側に嵌合する嵌合溝部とを設けた構成としている。
【０００９】
このハンドル取付構造では、ハンドルを略垂直方向に回動させた状態で、非円形状をなす位置決め突部の径方向外側に嵌合溝部が嵌合するため、ハンドルと外装体とを確実に位置決めできる。よって、持ち運び時にハンドルに対して外装体が傾くことを防止できる。また、ハンドルを略垂直方向上向きに回動させた状態で、位置決め突部が上向きに突出した状態になるようにしているため、使用時に位置決め突部と嵌合溝部との嵌合が解除されることを防止できる。その結果、外装体に対してハンドルが垂直方向上向きに延びた状態を確実に維持できる。
【００１０】
このハンドル取付構造では、前記回動溝部の前記嵌合溝部と反対側に、前記軸部を前記嵌合溝部に向けて付勢する付勢部材を配設することが好ましい。ここで、非円形状とした位置決め突部は、従来の円形状の軸部と比較して受部とのガタツキが大きくなる。しかし、本発明では、付勢部材の付勢により、位置決め突部と受部とが常に接した状態となるため、回転時においてもガタツキの問題が生じない。そして、使用時の回動操作性を向上できる。
【００１１】
また、前記ハンドルに軸部を設けるとともに、前記外装体に受部を設け、前記回動溝部と前記嵌合溝部とを、前記受部に配設する別体の受部本体に設けることが好ましい。このようにすれば、受部を構成する部品点数は増加するが、各構成部品の構造を簡素化できる。
【００１３】
また、前記外装体は、前記軸部の位置決め突部の頂部から径方向の対向位置までの幅より大きい遊嵌軸孔を有する受部本体配設部を備え、前記軸部に、前記位置決め突部から軸方向に所定間隔をもって位置し径方向外向きに突出する抜止突片を設けるとともに、前記受部本体配設部の遊嵌軸孔に、前記抜止突片を挿通する挿通溝部を設けることが好ましい。
この場合、前記軸部の抜止突片と前記受部本体配設部の挿通溝部とは、取付状態における前記ハンドルの回動範囲を越えた位置で挿通可能であることが好ましい。
このようにすれば、取り付けたハンドルの離脱を確実に防止できる。
【００１４】
さらに、前記外装体は、前記ハンドルを上部に配設する胴体と、この胴体の上部に位置する補強部材とを備え、この補強部材に、前記遊嵌軸孔および挿通溝部を有する受部本体配設部を設けることが好ましい。このようにすれば、外装体の剛性を高めることができる。
【発明の効果】
【００１５】
本発明のハンドル取付構造では、ハンドルを略垂直方向に回動させた状態で、軸部に設けた位置決め突部の径方向外側に受部に設けた嵌合溝部が嵌合するため、ハンドルと外装体とを確実に位置決めできる。よって、持ち運び時にハンドルに対して外装体が傾くことを防止できる。また、受部に、軸部を嵌合溝部に向けて付勢する付勢部材を配設しているため、位置決め突部と受部とが常に接した状態に維持できる、よって、非円形状とした位置決め突部の回転時のガタツキ問題を防止し、使用時の回動操作性を向上できる。
【図面の簡単な説明】
【００１６】
【図１Ａ】本発明のハンドル取付構造を適用した炊飯器のハンドル非使用状態を示す側面図である。
【図１Ｂ】炊飯器のハンドル使用状態を示す側面図である。
【図２】本発明のハンドル取付構造を示す分解斜視図である。
【図３】図２の要部を示す拡大斜視図である。
【図４Ａ】補強部材に対するハンドルの取付工程を示す断面図である。
【図４Ｂ】補強部材に対するハンドルの取付状態を示す断面図である。
【図５Ａ】ハンドルの非使用状態を示す断面図である。
【図５Ｂ】ハンドルの使用状態を示す断面図である。
【発明を実施するための形態】
【００１７】
以下、本発明の実施の形態を図面に従って説明する。
【００１８】
図１乃至図５は、本発明の実施形態に係るハンドル取付構造を適用した炊飯器を示す。この炊飯器は、図１Ａに示すように、炊飯器本体１０の上部に蓋体１１を開閉可能にヒンジ接続している。この炊飯器本体１０の内部には、飯米と水をセットした内鍋（図示せず）が着脱可能に装着される。そして、炊飯器は、内鍋を誘導加熱コイルなどの加熱手段によって加熱することにより、内鍋内を加熱して飯米を炊飯するものである。
【００１９】
炊飯器本体１０は、図１Ａ，Ｂおよび図２に示すように、上下端を開口した筒状をなす胴体１２と、胴体１２の上端開口に外嵌する装飾部材１５と、この装飾部材１５を介して胴体１２の上端開口を閉塞する肩体１６と、胴体１２の下端開口を閉塞する底体２２とを有する外装体を備えている。また、本実施形態の外装体は、胴体１２の上端内周部に位置する補強部材２４を備えている。
【００２０】
胴体１２には、上端開口の外周部に装飾部材１５を装着するための段部１３が設けられている。また、胴体１２の上端開口の内周部には、肩体１６を係合する係合溝１４が設けられている。
【００２１】
装飾部材１５は、胴体１２の段部１３に外嵌して装着されるとともに、上側内周部に肩体１６が嵌合して装着されるものである。
【００２２】
肩体１６は、外装体の上側部分を構成するもので、装飾部材１５に内嵌して取り付けられる。この肩体１６には、胴体１２の係合溝１４に係合される係合爪１７が設けられ、これらの係合により、胴体１２と肩体１６との間に装飾部材１５を挟み込んで離脱不可能に装着する。また、肩体１６には、図２中右側に位置する背面側に、蓋体１１を回転可能に取り付けるためのヒンジ接続部１８が設けられている。さらに、肩体１６には、正面側に操作パネル部１９が形成されている。これらヒンジ接続部１８と操作パネル部１９との間には、内鍋を収容する収容部の上端開口となる開口部２０が設けられている。そして、この開口部２０の外周には、ネジ締付部２１が下向きに突設されている。
【００２３】
底体２２は、外装体の下側部分を構成するもので、胴体１２の下端開口に外嵌して取り付けられている。 この底体２２には、内鍋を着脱可能に装着する保護枠（図示せず）を装着するためのボス２３が上向きに突設されている。このボス２３は、肩体１６のネジ締付部２１の下部に位置するように設けられている。そして、ボス２３の下（外）側からネジを通してネジ締付部２１に締め付けることにより、保護枠を含む胴体１２、装飾部材１５、肩体１６および底体２２からなる外装体を一体的に固定できる。
【００２４】
補強部材２４は金属製であり、開口部２０の外周に位置するように肩体１６の底面にネジ止めにより装着される。この補強部材２４を配設した肩体１６を胴体１２に組み付けることにより、補強部材２４が胴体１２の上端内周部に位置するように配設される。この補強部材２４は、肩体１６の係合爪１７の内側に位置する外壁部２５と、肩体１６の開口部２０の外側に位置する内壁部２６と、これらの上端を連続する上壁部２７とを備える。そして、上壁部２７には、ネジ締付部２１を下向きに貫通させる貫通穴部２８が設けられている。
【００２５】
なお、外装体のヒンジ接続部１８の表面は、ヒンジカバー２９により覆われる。このヒンジカバー２９には、ハンドル３１の回動を規制（停止）するストッパ部３０が設けられている。
【００２６】
この炊飯器本体１０の外装体に対してＵ字形状のハンドル３１を回動可能に取り付けるために、本発明のハンドル取付構造では、ハンドル３１に軸部３２が設けられるとともに、炊飯器本体１０の外装体に受部３５が設けられている。そして、ハンドル３１は、図１Ａに示すように、胴体１２に対して背面側へ略水平方向に延びた非使用位置から、図１Ｂに示す略垂直方向上向きに延びた使用位置を経て、正面側へ略水平方向に延びた位置まで縦方向に略１８０度の範囲で回転可能に取り付けられる。
【００２７】
図２および図３に示すように、ハンドル３１の両端には、内向きに突出する円柱状の軸部３２が設けられている。この軸部３２の先端には、略三角形状をなすように径方向外向きに突出する位置決め突部３３が設けられている。この位置決め突部３３は、図１Ｂに示すハンドル３１の使用状態で、突出端である頂部３３ａが垂直方向上向きに位置するように突設されている。また、位置決め突部３３は頂部３３ａが所定曲率で湾曲され、軸部３２を含めた断面形状が、略雫形状をなす角無しの非真円形状をなすように構成されている。さらに、軸部３２には、略四角形状をなすように径方向外向きに突出する抜止突片３４が設けられている。この抜止突片３４は、位置決め突部３３に対して、軸方向に所定間隔をもって位置するとともに、径方向に所定角度（９０度）をもって位置するように設けられている。
【００２８】
外装体の受部３５は、胴体１２の上端開口部に設けた挿通溝３６と、補強部材２４に形成した受部本体配設部３８と、この受部本体配設部３８に配設される樹脂製の受部本体４３および付勢部材５２を備えている。
【００２９】
挿通溝３６は、胴体１２の上端開口部の両側略中央に形成したＵ字形状の切り欠きからなる。この挿通溝３６の横幅は、後述する補強部材２４の遊嵌軸孔３９の直径と略同一である。挿通溝３６の上端開口は、装飾部材１５の装着により閉鎖される。また、胴体１２の内面には、補強部材２４の受部本体配設部３８を位置させる配設凹部３７が形成されている。
【００３０】
受部本体配設部３８は、胴体１２の配設凹部３７に面接触するように、外壁部２５を外向きに屈曲させて形成されている。この受部本体配設部３８には、軸部３２の位置決め突部３３の頂部３３ａから径方向の対向位置までの幅（寸法）より大きい直径の遊嵌軸孔３９が設けられている。この遊嵌軸孔３９には、軸部３２の抜止突片３４を挿通可能な挿通溝部４０が設けられている。この挿通溝部４０は、遊嵌軸孔３９に対して正面側に偏って位置するように設けられている。これにより、ハンドル３１の軸部３２は、図１Ａに示す非使用状態を越えた回動範囲外（図４Ａ参照。）でのみ、挿通可能に構成している。また、受部本体配設部３８には、上壁部２７に受部本体４３の上部一端を位置決めする凸状の係止溝部４１が設けられている。さらに、受部本体配設部３８には、上壁部２７に受部本体４３の上部他端をネジ止めするためのネジ孔部４２が設けられている。
【００３１】
受部本体４３は、補強部材２４の受部本体配設部３８の外壁部２５と内壁部２６との間に配設される樹脂製のものである。この受部本体４３には、ハンドル３１の軸部３２の位置決め突部３３を回動可能な回動溝部４４と、この回動溝部４４の上側に連続する嵌合溝部４５とが設けられている。また、受部本体４３は、回動溝部４４の下側、即ち嵌合溝部４５の反対側が開口部４６とされている。回動溝部４４は、軸部３２から突設した位置決め突部３３の頂部３３ａから軸部３２の径方向の対向位置までの寸法より、水平方向の横幅が大きい溝である。嵌合溝部４５は、ハンドル３１を使用位置に回動させることにより、頂部３３ａが上向きに位置する位置決め突部３３が内部に嵌合する略三角形状の溝である。本実施形態では、嵌合溝部４５の頂部から開口部４６までの寸法は、位置決め突部３３の頂部３３ａから軸部３２の径方向の対向位置までの寸法より小さくなるように形成されている。具体的には、位置決め突部３３が嵌合溝部４５に嵌合した使用状態、および、嵌合溝部４５に対して略９０度回転した非使用状態のいずれでも、軸部３２の一部が開口部４６から突出するように、回動溝部４４および嵌合溝部４５を寸法設定している。
【００３２】
また、受部本体４３には、上部に略逆Ｌ字形状に突出し、係止溝部４１の第１溝部４１ａを貫通して上壁部２７の上面に係止する挿通係止片４７が設けられている。さらに、受部本体４３には、挿通係止片４７と連続し、係止溝部４１の第１溝部４１ａより細幅の第２溝部４１ｂに挿通される挿通板部４８が設けられている。そして、挿通係止片４７と逆側の端部には、ネジ孔部４２の下部に位置するネジ挿通孔４９が設けられている。また、挿通係止片４７を設けた端部下側には、付勢部材５２の揺動方向を規制する断面Ｔ字形状のガイド部５０が設けられている。さらに、ネジ挿通孔４９を設けた端部下側には、付勢部材５２の端部を覆うカバー部５１が設けられている。
【００３３】
付勢部材５２は、受部本体４３の開口部４６より突出した軸部３２を嵌合溝部４５に向けて付勢する板バネからなる。この付勢部材５２は、カバー部５１内に配設される固定部５３を備えている。この固定部５３には、ネジ孔部４２およびネジ挿通孔４９に一致するネジ挿通孔５４が設けられている。また、付勢部材５２は、固定部５３から下向きに屈曲するアーム部５５を備えている。さらに、付勢部材５２は、アーム部５５の下端から開口部４６を塞ぐように屈曲して延びる付勢部５６を備えている。この付勢部５６の先端には、ガイド部５０のガイド板５０ａを挟み込むように挿通するガイド溝５７が設けられている。
【００３４】
このハンドル取付構造を用いた炊飯器を組み立てる場合には、例えば、補強部材２４の受部本体配設部３８の係止溝部４１に、受部本体４３の挿通係止片４７および挿通板部４８を挿通させた仮組付状態とする。そして、図４Ａに示すように、ハンドル３１の位置決め突部３３を含む軸部３２を遊嵌軸孔３９に挿通させた後、抜止突片３４を挿通溝部４０に位置させる。この状態のハンドル３１は、取付状態での背面側の回動を規制するストッパ部３０を越えた角度である。
【００３５】
そして、ハンドル３１の抜止突片３４が補強部材２４の挿通溝部４０を越えると、図４Ｂに示すように予め設定した回動範囲の側へ回動させる。これにより、ハンドル３１が遊嵌軸孔３９から離脱することを防止できる。なお、図４Ａ，Ｂでは、ハンドル３１の軸部３２と補強部材２４の遊嵌軸孔３９の関係を理解し易くするために、受部本体４３は図示していない。また、この取付状態では、ハンドル３１の軸部３２は、位置決め突部３３を設けた先端が補強部材２４の内壁部２６に当接し、位置決め突部３３が嵌合溝部４５を含む回動溝部４４内に位置する。さらに、抜止突片３４が、補強部材２４の外壁部２５と受部本体４３との間に位置する。
【００３６】
ついで、付勢部材５２を受部本体配設部３８に配置する。そして、付勢部材５２および受部本体４３のネジ挿通孔４９，５４にネジを挿通させ、ネジ孔部４２に対して締め付ける。これにより、ハンドル３１の軸部３２が受部本体４３の嵌合溝部４５の側に付勢される。なお、この付勢部材５２は、ハンドル３１の取付前に予め補強部材２４にネジ締めして取り付けておき、付勢部５６を弾性的に広げた状態で、ハンドル３１の軸部３２を前述のようにして取り付けてもよい。
【００３７】
このようにして補強部材２４にハンドル３１を取り付けると、この補強部材２４を、装飾部材１５を配設した肩体１６に下側から配設して固定する。その後、肩体１６に内胴や保護枠を配置した後、胴体１２を配置する。この際、ハンドル３１の軸部３２を胴体１２の挿通溝３６内に挿通させる。最後に、胴体１２の下端開口に底体２２を配置し、ボス２３を通して肩体１６のネジ締付部２１にネジを締め付けて固定する。また、ハンドル３１を水平方向より上側に位置させた状態で、ヒンジ接続部１８の表面にヒンジカバー２９を取り付ける。
【００３８】
このハンドル取付構造を採用した炊飯器は、図１Ａに示すように、ハンドル３１を背面側へ略水平方向に延びるように配置し、ヒンジカバー２９のストッパ部３０上に載せた非使用状態にすると、図５Ａに示すように、軸部３２に設けた位置決め突部３３の頂部３３ａが水平方向に突出した状態をなす。そして、付勢部材５２の付勢により、位置決め突部３３の頂部３３ａおよび軸部３２の外面が、回動溝部４４または嵌合溝部４５の内面に圧接された状態をなす。
【００３９】
また、図１Ｂに示すように、ハンドル３１を略垂直方向上向きに延びるように回動させた使用状態にすると、図５Ｂに示すように、位置決め突部３３の頂部３３ａが垂直方向上向きに突出した状態をなす。そして、付勢部材５２によって軸部３２が上向きに付勢されることにより、位置決め突部３３が嵌合溝部４５に嵌合する。なお、この嵌合作用は、ハンドル３１を図示の垂直方向まで回動させなくても、付勢部材５２の付勢力と嵌合溝部４５の傾斜面により、徐々に促進される。
【００４０】
この使用状態では、ハンドル３１の軸部３２が付勢部材５２で付勢されるため、位置決め突部３３が嵌合溝部４５に嵌合した状態を確実に維持できる。また、ハンドル３１を持って炊飯器本体１０を持ち上げると、炊飯器本体１０の荷重が位置決め突部３３の頂部３３ａに集中する。その結果、位置決め突部３３と嵌合溝部４５とが更に嵌合するように作用するため、これらの嵌合が解除されることはない。即ち、ハンドル３１をもって炊飯器本体１０を持ち上げた状態では、炊飯器本体１０に対してハンドル３１が直交方向に延びた状態を確実に維持できる。その結果、例え炊飯器本体１０の内鍋内の水が揺れ動いても、ハンドル３１に対して炊飯器本体１０が揺動する（傾く）ことを防止できる。
【００４１】
一方、炊飯器を移動させて所定位置に載置し、ハンドル３１を背面側の非使用状態に位置させる時には、ハンドル３１を背面側へ向けて回動させる。そうすると、ハンドル３１の軸部３２の位置決め突部３３が受部本体４３の嵌合溝部４５の傾斜面に沿って摺動しながら、回動溝部４４内に位置する。この際、軸部３２は、付勢部材５２の弾性的な変形により、僅かに下向きに移動するように作用する。これにより、付勢部材５２の付勢力に抗して位置決め突部３３を回動溝部４４内に移動させることができる。
【００４２】
このように、本発明のハンドル取付構造では、炊飯器本体１０に対してハンドル３１を略垂直方向上向きに延びる使用状態にすると、軸部３２に設けた位置決め突部３３が受部３５に設けた嵌合溝部４５に嵌合するため、持ち運び時にハンドル３１に対して炊飯器本体１０の外装体が傾くことを防止できる。また、ハンドル３１の回動操作は、付勢部材５２の弾性的な変形により容易に行うことができる。しかも、本実施形態の位置決め突部３３は非円形状であるため、従来の円形状の軸部と比較して受部とのガタツキが大きくなるが、付勢部材５２の付勢により、位置決め突部３３と受部３５とが常に接した状態となるため、回転時においてもガタツキの問題が生じることはない。
【００４３】
また、本実施形態では、ハンドル３１に軸部３２を設けるとともに、炊飯器本体１０に受部３５を設け、受部３５には回動溝部４４および嵌合溝部４５を有する別体の受部本体４３を配設している。よって、受部３５を構成する部品点数は増加するが、各構成部品の構造を簡素化できる。さらに、炊飯器本体１０には補強部材２４を配設し、この補強部材２４に軸部３２が貫通する遊嵌軸孔３９を設けているため、炊飯器本体１０の荷重によって樹脂製の外装体が破損することを防止できる。そして、軸部３２には抜止突片３４を設け、この抜止突片３４を補強部材２４の挿通溝部４０に対して、取付状態での回動範囲外で挿通可能としているため、使用時にハンドル３１が離脱することを防止できる。
【００４４】
なお、本発明のハンドル取付構造は、前記実施形態の構成に限定されるものではなく、種々の変更が可能である。
【００４５】
例えば、前記実施形態では、ハンドル３１に軸部３２を設けるとともに、炊飯器本体１０の外装体に受部３５を設けたが、炊飯器本体１０の外装体に軸部３２を設け、ハンドル３１に受部３５を設けてもよい。この場合、受部３５は、ハンドル３１に対して回動溝部４４および嵌合溝部４５を設ける。また、軸部３２は、先端に回動溝部４４および嵌合溝部４５を覆う大きさのストッパ部材を配設する。
【００４６】
また、一対の位置決め突部３３，３３の頂部３３ａ，３３ａが異なる方向に位置するように構成し、製品組立時においてハンドル３１の逆付けを防止できるようにしてもよい。同様に、前記実施形態では、一対の抜止突片３４，３４を同一方向に突出するように設けたが、異なる方向に位置するように構成し、ハンドル３１の逆付けを防止できるようにしてもよい。
【００４７】
そして、前記実施形態では、本発明のハンドル取付構造を炊飯器に適用したが、電気ポットなどの水を収容する電気製品に適用してもよい。勿論、水を収容する電気製品に限られず、使用時にハンドル３１を略垂直方向に延びた状態で位置決めしたい電気製品であれば、いずれでも適用が可能であり、同様の作用および効果を得ることができる。
【符号の説明】
【００４８】
１０…炊飯器本体
１１…蓋体
１２…胴体（外装体）
１５…装飾部材（外装体）
１６…肩体（外装体）
２２…底体（外装体）
２４…補強部材（外装体）
２９…ヒンジカバー（外装体）
３０…ストッパ部
３１…ハンドル
３２…軸部
３３…位置決め突部
３３ａ…頂部
３４…抜止突片
３５…受部
３６…挿通溝
３８…受部本体配設部
３９…遊嵌軸孔
４３…受部本体
４４…回動溝部
４５…嵌合溝部
５２…付勢部材
【図１Ａ】
0005426478.tif 000002
【図１Ｂ】
0005426478.tif 000003
【図２】
0005426478.tif 000004
【図３】
0005426478.tif 000005
【図４Ａ】
0005426478.tif 000006
【図４Ｂ】
0005426478.tif 000007
【図５Ａ】
0005426478.tif 000008
【図５Ｂ】
0005426478.tif 000009